(57)【特許請求の範囲】
【請求項１】
間接活線工法に用いるための間接活線先端工具（１０）であって、
１軸回転操作棒である共用操作棒（５０）が取り付けられる操作棒取付部材（１１）と、
先端面の中央部にナット保持穴（１５ａ）が形成されたソケット（１５）と、
回転軸（１２ｂ）の一端部が前記操作棒取付部材に取り付けられているとともに該回転軸の他端部が前記ソケット内に設けられた回転軸取付部材（１５ｂ）に取り付けられたフレキシブルケーブル（１２）と、
該フレキシブルケーブルの他端部側に設けられた、かつ、前記共用操作棒を一方向に回転させて前記回転軸をロックするとともに該共用操作棒を逆方向に回転させて該回転軸のロックを解除するためのソケット固定手段（１３，１４）と、
を具備することを特徴とする、間接活線先端工具。
【請求項２】
前記ソケットの先端部の外周面よりも外側に１８０度の間隔で回転可能に取り付けられた第１および第２の磁石（１７1，１７2）をさらに具備することを特徴とする、請求項１記載の間接活線先端工具。
【請求項３】
前記フレキシブルケーブルが、前記回転軸が回転可能に収納された絶縁性のベース（１２ａ）を備え、
該ベースの両端が、前記操作棒取付部材および前記ソケットに固定されることなくフリーの状態とされており、
前記ソケットが前記ソケット固定手段に固定されていない状態では、前記操作棒取付部材に取り付けられた前記共用操作棒を回転させても前記ベースが回転しないようにされている、
ことを特徴とする、請求項１または２記載の間接活線先端工具。
【請求項４】
前記ソケット固定手段が、
先端部の内面にネジ溝が形成された円筒状の固定部材（１３）と、
一端が前記固定部材の外周面に固定されるとともに他端が前記フレキシブルケーブルの前記ベースの他端部の外周面に固定された剛性の大きい固定紐（１４）とを備え、
前記固定部材が、前記フレキシブルケーブルの軸方向に沿って摺動可能とされている、
ことを特徴とする、請求項３記載の間接活線先端工具。
【請求項５】
前記ソケットの末端面に、前記固定部材の前記ネジ溝と螺合するネジ山が外周面に形成された取付部材（１５ｃ）が取り付けられていることを特徴とする、請求項４記載の間接活線先端工具。
【請求項６】
先端面が前記ソケットの先端面と同一平面上になるように該ソケットの先端部に回転可能に取り付けられた磁石取付部材（１６）をさらに具備し、
該磁石取付部材の先端部の外周面に、前記第１および第２の磁石をそれぞれ取り付けるための第１および第２の磁石取付板（１６ａ1，１６ａ2）が、該磁石取付部材の軸方向に対して９０度の角度に曲げられるとともに１８０度の間隔で設けられている、
ことを特徴とする、請求項１乃至５いずれかに記載の間接活線先端工具。
【請求項７】
前記第１および第２の磁石が、防巣具（１１０）を電柱の腕金（１）に取り付けるための防巣具取付金具（１２０）が備える矩形板状の座金（１３０）を吸着して保持するために矩形板状とされていることを特徴とする、請求項１乃至６いずれかに記載の間接活線先端工具。
【発明の詳細な説明】
【技術分野】
【０００１】
本発明は、間接活線工法での電柱への防巣具取付作業などに用いるのに好適な間接活線先端工具に関する。
【背景技術】
【０００２】
従来、鳥が電柱に営巣することによって発生する配電線事故を防止するために、たとえば図２（ａ）に示すような防巣具１１０を電柱の腕金１に防巣具取付金具１２０を用いて取り付けている。
【０００３】
防巣具１１０は、円柱状の棒状体と、棒状体の先端部および中央部の外周面にそれぞれ設けられた２つの突部と、各突部から放射状にかつ基端部側に向けて斜めに延設された複数本の槍部とを備える。
防巣具１１０の棒状体の基端部には、ナットと螺合するボルト溝が形成されている。
【０００４】
防巣具取付金具１２０は、右端面および下端面の形状が凹型のＬ型金物１２１と、Ｌ型に曲げられた円柱棒からなるＬ型固定棒１２２とを備える。
【０００５】
Ｌ型金物１２１の右端部には、防巣具１１０の基端部を貫通させるための防巣具貫通孔が形成されており、防巣具１１０は、基端部が防巣具貫通孔を貫通されてナットを用いてＬ型金物１２１の右端部に取り付けられる。
Ｌ型金物１２１の右端部よりも左側の底面には、Ｌ型固定棒１２２の上端部を貫通させるとともにＬ型固定棒１２２を左右方向に移動可能とするための楕円状の固定棒貫通孔が形成されている。
Ｌ型金物１２１の下端部の図２（ａ）図示手前側の側面には、Ｌ型固定棒１２２の左端部を挿入するための切り鍵１２１ａが形成されている。
【０００６】
Ｌ型固定棒１２２の上端部には、Ｌ型固定棒１２２がＬ型金物１２１の防巣具貫通孔から抜けることを防止するための円板状の抜け防止板が取り付けられている。
Ｌ型固定棒１２２の左端部には、座金１３０（矩形板状の両側面を直角に曲げて側面視の形状が凹型とされている。）の底面の中央部に形成されたネジ溝およびナット１４０と螺合するボルト溝が形成されている。
【０００７】
従来、間接活線工法で防巣具１１０を電柱の腕金１に取り付ける際には、作業員は、底面に腕金押え板１３０ａが取り付けられた座金１３０とナット１４０とをこの順番でＬ型固定棒１２２のボルト溝に螺合させてＬ型固定棒１２２に装着したのち、先端に絶縁ヤットコが取り付けられた共用操作棒を操作して、図２（ａ）に示すようにＬ型金物１２１の底面が腕金１の上面および左側面に接するように防巣具取付金具１２０を腕金１に載せる。
【０００８】
その後、作業員は、絶縁ヤットコで座金１３０を把持して、図２（ｂ）に示すようにＬ型固定棒１２２の左端部をＬ型金物１２１の切り鍵１２１ａに入れることができる位置に来るまでＬ型固定棒１２２を左側および上側に移動させたのち、Ｌ型固定棒１２２を図２（ｂ）紙面裏側に向かって回転させてＬ型固定棒１２２の左端部を切り鍵１２１ａに入れる。
このとき、座金１３０は、Ｌ型金物１２１の左側に位置するようにＬ型固定棒１２２に装着されている。
【０００９】
その後、作業員は、先端に間接ラジェットが取り付けられた共用操作棒を操作して、ナット１４０を間接ラジェットで回して仮締めして、図２（ｃ）に示すように腕金押え板１３０ａが腕金１の底面に接するまで座金１３０をＬ型金物１２１に向かって押し込む。
【００１０】
なお、本出願人は、下記の特許文献１で、作業員が立つ作業位置に限定要素があっても円滑に作業を行うことができるように、２軸回転操作棒の先端側に接続される継手部と、締結具を締結対象に締結するか締結対象からの締結を緩和するための先端部と、継手部の回転を先端部に伝達する伝達部とを有し、伝達部が２軸回転操作棒の軸方向に対して自在な方向に曲折できる構造とした、間接活線工具の先端工具を提案している。
【先行技術文献】
【特許文献】
【００１１】
【特許文献１】特開２００８−２９０４７号公報
【発明の概要】
【発明が解決しようとする課題】
【００１２】
しかしながら、上述した従来の間接活線工法での防巣具取付作業では、以下の（１）〜（３）に示すような問題があった。
（１）絶縁ヤットコで座金１３０を把持しながらＬ型固定棒１２２をＬ型金物１２１の切り鍵１２１ａに入れる作業は、切り鍵１２１ａの角度によっては行い難い。
（２）Ｌ型固定棒１２２の切り鍵１２１ａへの挿入作業は絶縁ヤットコを用いて行い、ナット１４０の仮締め作業は間接ラジェットを用いて行うため、作業員は作業途中で先端に絶縁ヤットコが取り付けられた共用操作棒から先端に間接ラジェットが取り付けられた共用操作棒に持ち替える必要がある。
（３）ナット１４０の仮締め作業では、間接ラジェットの可動範囲にストラップなどがあって間接ラジェットを一回転させられなくなった場合には、共用操作棒の先端に取り付けられている間接ラジェットを付け替えながらナット１４０を少しずつ回す必要があるため、作業時間を要する。
【００１３】
上記の特許文献１で提案した間接活線工具の先端工具は、２軸回転操作棒の先端に取り付けて使用するものであるため、１軸回転操作棒の先端に取り付けて使用することはできない。
また、この先端工具は、締結具（たとえば、ナット）の締結対象への締付作業を行う際には、絶縁ヤットコで伝達部を持ってラチェット部のソケット部の軸線上に締結具が位置するように曲げる必要があるものである（公報の段落００２８参照）。
【００１４】
本発明の目的は、間接活線工法での防巣具取付作業などの迅速化・容易化を図ることができる間接活線先端工具を提供することにある。
【課題を解決するための手段】
【００１５】
本発明の間接活線先端工具は、間接活線工法に用いるための間接活線先端工具（１０）であって、１軸回転操作棒である共用操作棒（５０）が取り付けられる操作棒取付部材（１１）と、先端面の中央部にナット保持穴（１５ａ）が形成されたソケット（１５）と、回転軸（１２ｂ）の一端部が前記操作棒取付部材に取り付けられているとともに該回転軸の他端部が前記ソケット内に設けられた回転軸取付部材（１５ｂ）に取り付けられたフレキシブルケーブル（１２）と、該フレキシブルケーブルの他端部側に設けられた、かつ、前記共用操作棒を一方向に回転させて前記回転軸をロックするとともに該共用操作棒を逆方向に回転させて該回転軸のロックを解除するためのソケット固定手段（１３，１４）とを具備することを特徴とする。
ここで、前記ソケットの先端部の外周面よりも外側に１８０度の間隔で回転可能に取り付けられた第１および第２の磁石（１７1，１７2）をさらに具備してもよい。
前記フレキシブルケーブルが、前記回転軸が回転可能に収納された絶縁性のベース（１２ａ）を備え、該ベースの両端が、前記操作棒取付部材および前記ソケットに固定されることなくフリーの状態とされており、前記ソケットが前記ソケット固定手段に固定されていない状態では、前記操作棒取付部材に取り付けられた前記共用操作棒を回転させても前記ベースが回転しないようにされていてもよい。
前記ソケット固定手段が、先端部の内面にネジ溝が形成された円筒状の固定部材（１３）と、一端が前記固定部材の外周面に固定されるとともに他端が前記フレキシブルケーブルの前記ベースの他端部の外周面に固定された剛性の大きい固定紐（１４）とを備え、前記固定部材が、前記フレキシブルケーブルの軸方向に沿って摺動可能とされていてもよい。
前記ソケットの末端面に、前記固定部材の前記ネジ溝と螺合するネジ山が外周面に形成された取付部材（１５ｃ）が取り付けられていてもよい。
先端面が前記ソケットの先端面と同一平面上になるように該ソケットの先端部に回転可能に取り付けられた磁石取付部材（１６）をさらに具備し、該磁石取付部材の先端部の外周面に、前記第１および第２の磁石をそれぞれ取り付けるための第１および第２の磁石取付板（１６ａ1，１６ａ2）が、該磁石取付部材の軸方向に対して９０度の角度に曲げられるとともに１８０度の間隔で設けられていてもよい。
前記第１および第２の磁石が、防巣具（１１０）を電柱の腕金（１）に取り付けるための防巣具取付金具（１２０）が備える矩形板状の座金（１３０）を吸着して保持するために矩形板状とされていてもよい。
【発明の効果】
【００１６】
本発明の間接活線先端工具は、共用操作棒を持ち替える必要なくＬ型固定棒の切り鍵への挿入作業およびナットの仮締め作業を行うことができるため、間接活線工法での防巣具取付作業などの迅速化・容易化を図ることができるという効果を奏する。
【図面の簡単な説明】
【００１７】
【図１】本発明の一実施例による間接活線先端工具１０について説明するための図であり、（ａ）は間接活線先端工具１０の構成を示す図であり、（ｂ）は共用操作棒５０の先端部の構成を示す図である。
【図２】従来の間接活線工法での防巣具取付作業について説明するための図である。
【発明を実施するための形態】
【００１８】
上記の目的を、共用操作棒の回転方向によってフレキシブルケーブルの回転軸をロックしたり回転軸のロックを解除したりできるようにするとともに、座金を吸着して保持するための第１および第２の磁石をソケットの先端部に回転可能に取り付けることにより実現した。
【実施例１】
【００１９】
以下、本発明の間接活線先端工具の実施例について図面を参照して説明する。
本発明の一実施例による間接活線先端工具１０は、図１（ａ）に示すように、操作棒取付部材１１と、フレキシブルケーブル１２と、固定部材１３と、固定紐１４と、ソケット１５と、磁石取付部材１６と、第１および第２の磁石１７1，１７2とを具備する。
【００２０】
ここで、操作棒取付部材１１は、図１（ｂ）に示す共用操作棒５０の挿入部材５０ｂを挿入するための挿入穴が下面に形成されているとともに、共用操作棒５０の挿入部材５０ｂの外周面に突設された矩形棒状の突起５０ｃを引っ掛けて共用操作棒５０を操作棒取付部材１１に取り付けるためのＴ字状の切欠き１１ａが外周面に形成されている。
なお、共用操作棒５０は、棒部材５０ａが１本だけの１軸回転操作棒である。
【００２１】
フレキシブルケーブル１２は、絶縁性のベース１２ａと、ベース１２ａ内に回転可能に収納された導電性の回転軸１２ｂとを備えるとともに、回転軸１２ｂの軸方向に対して自在な方向に曲げることができるように可撓性を有している。
ベース１２ａの両端は操作棒取付部材１１およびソケット１５に固定されることなくフリーの状態（すなわち、回転軸１２ｂを回してもベース１２ａは回らない状態）とされている。
回転軸１２ｂの一端部は操作棒取付部材１１の上面の中央部に取り付けられ、回転軸１２ｂの他端部は固定部材１３のフレキシケーブル貫通孔を貫通して、ソケット１５内に設けられた回転軸取付部材１５ｂに取り付けられている。
【００２２】
固定部材１３は、末端面から先端面までフレキシケーブル１２を貫通させるためのフレキシケーブル貫通孔が形成された円筒状の形状を有するとともに、先端部の内面には右ネジ溝が形成されている。
固定部材１３は、剛性の大きい固定紐１４（一端が固定部材１３の外周面に固定されるとともに他端がフレキシブルケーブル１２のベース１２ａの他端部の外周面に固定されている。）でフレキシブルケーブル１２のベース１２ａと繋がれている。
固定部材１３は、図１（ａ）に矢印で示すようにフレキシブルケーブル１２の軸方向に沿ってフレキシブルケーブル１２の他端部を摺動可能とされている。
【００２３】
ソケット１５は、円筒状の形状を有する。
ソケット１５の先端面の中央部には、ナット１４０を保持するためのナット保持穴１５ａが形成されている。
ソケット１５の末端面には、ソケット１５を右回転させるとソケット１５が固定部材１３に固定され、一方、ソケット１５を左回転させるとソケット１５が固定部材１３から外れるように、固定部材１３の右ネジ溝と螺合する右ネジ山が外周面に形成された円筒状の取付部材１５ｃが取り付けられている。
すなわち、共用操作棒５０を右回転させると、フレキシブルケーブル１２の回転軸１２ｂを介してソケット１５が右回転してソケット１５の取付部材１５ｃの右ネジ山を固定部材１３の右ネジ溝に螺合させていき、ソケット１５を固定部材１３に固定することができるようにされている。
その結果、ソケット１５を固定部材１３に固定したのちは、ソケット１５とフレキシブルケーブル１２のベース１２ａとが固定紐１４で繋がれていることによりフレキシブルケーブル１２の回転軸１２ｂがロックされるため、どの方向からでも作業できるように共用操作棒５０を操作することによってソケット１５の先端部を任意の方向に向けることができるようにされている。
逆に、共用操作棒５０を左回転させると、フレキシブルケーブル１２の回転軸１２ｂを介してソケット１５が左回転してソケット１５の取付部材１５ｃを固定部材１３から外して回転軸１２ｂのロックが解除されるようにされている。
その結果、フレキシブルケーブル１２の回転軸１２ｂがロックされていないと、たとえば横方向から防巣具取付作業を行う場合にはソケット１５の先端部が重力によって下向きになってしまい防巣具取付作業を行い難くなくなるが、本実施例による間接活線先端工具１０を用いることにより横方向からでも防巣具取付作業を容易に行うことができる。
【００２４】
磁石取付部材１６は、円筒状の形状を有するとともに、先端面がソケット１５の先端面と同一平面上になるようにソケット１５の先端部に回転可能に取り付けられている。
磁石取付部材１６の先端部の外周面には、矩形板状の第１および第２の磁石１７1，１７2をそれぞれ取り付けるための矩形板状の第１および第２の磁石取付板１６ａ1，１６ａ2が磁石取付部材１６の径方向に突出するように１８０度の間隔で設けられている。
これにより、ソケット１５を回転させても、磁石取付部材１６は空回りして、第１および第２の磁石１７1，１７2が回転しないようにされている。
【００２５】
第１および第２の磁石１７1，１７2は、矩形板状の座金１３０の底面を吸着して保持するためのものである。
これにより、座金１３０を第１および第２の磁石１７1，１７2によって保持することができるため、防巣具取付金具１２０のＬ型固定棒１２２の左端部をＬ型金物１２１の切り鍵１２１ａに入れる際に座金１３０がＬ型金物１２１に引っ掛かり難くすることができる。
なお、Ｌ型固定棒１２２の左端部を切り鍵１２１ａに入れる際に座金１３０を多少回転させてＬ型金物１２１と平行にすることができるように、ソケット１５が摩擦によって多少回転できるようにすることが好ましい。
【００２６】
次に、このように構成された間接活線先端工具１０を用いてＬ型固定棒の切り鍵への挿入作業およびナットの仮締め作業を行う手順について説明する。
作業員は、ソケット１５が固定部材１３に取り付けられた間接活線先端工具１０の操作棒取付部材１１に共用操作棒５０を取り付けたのち、作業する方向に合わせてフレキシブルケーブル１２を曲げる。
【００２７】
その後、作業員は、共用操作棒５０を操作して、ソケット１５をナット１４０および座金１３０に近付けていき、ナット１４０をソケット１５のナット保持穴１５ａに挿入させるとともに座金１３０の底面を第１および第２の磁石１７1，１７2で吸着させて保持させる。
【００２８】
その後、作業員は、共用操作棒５０を操作して、Ｌ型固定棒１２２の左端部がＬ型金物１２１の切り鍵１２１ａに入れることができる位置に来るまでＬ型固定棒１２２を左側および上側に移動させたのち、Ｌ型固定棒１２２の左端部を切り鍵１２１ａに入れる。
【００２９】
その後、作業員は、共用操作棒５０を左回転させてソケット１５を固定部材１３から取り外してフレキシブルケーブル１２の回転軸１２ｂのロックを解除するとともに回転軸１２ｂを介してソケット１５を左回転させてナット１４０を回していって、図２（ｃ）に示したように座金１３０の腕金押え板１３０ａが腕金１の底面に接するように座金１３０をＬ型金物１２１に固定する。
【００３０】
これにより、作業員は共用操作棒５０を持ち替える必要なくＬ型固定棒の切り鍵への挿入作業およびナットの仮締め作業を行うことができる。
【符号の説明】
【００３１】
１  腕金
１０  間接活線先端工具
１１  操作棒取付部材
１２  フレキシブルケーブル
１２ａ  ベース
１２ｂ  軸
１３  固定部材
１４  固定紐
１５  ソケット
１５ａ  ナット保持穴
１５ｂ  回転軸取付部材
１５ｃ  取付部材
１６  磁石取付部材
１６ａ1，１６ａ2  第１および第２の磁石取付板
１７1，１７2  第１および第２の磁石
５０  共用操作棒
５０ａ  棒部材
５０ｂ  挿入部材
５０ｃ  突起
１１０  防巣具
１２０  防巣具取付金具
１２１  Ｌ型金物
１２２  Ｌ型固定棒
１３０  座金
１３０ａ  腕金押え板
１４０  ナット
【図１】
0005882375.tif 000002
【図２】
0005882375.tif 000003